(57)【要約】本発明は、円筒型又は樽形状の容器内に位置させるためのバッグに関する。【課題】【解決手段】このバッグ（４）は、二重に折られたサイドパネル（１３，１４）が位置されている間にフロントパネル（１１）とリヤパネル（１２）とを有する。このバッグの底部は、エッジ（１７，１８）に沿う一点に延びている。このバックは、折られていない時、大きな歪もなく、湾曲した底部とネック部とを有する円筒型又は樽形状の内壁と接触し得る。この結果、材料の高い歪は防止され、バッグのバリヤ性質は維持される。前記フロントパネル（１１）とリヤパネル（１２）とは、破れやすい留めリップ（２２，２３）によって互いに取着され得る。
2005517602.tif 000002
【特許請求の範囲】
【請求項１】
フィルム材で形成されたバッグ（４）であって、このバッグは、折られていない状態で、ほぼ矩形の中央セクション（３１）と、この中央セクション（３１）の対向する２つのサイドエッジから延びているフロントパネル（１１）及びリヤパネル（１２）と、このフロントパネル及びリヤパネルに対して直角に、前記中央セクション（３１）のさらなる２つのサイドエッジから延びている２つのサイドパネル（１３，１４）とを具備し、各パネル（１１，１２，１３，１４）は、２つのサイドエッジ（１５，１６，１５’，１６’，３２，３３，３２’，３３’）と、前記中央セクションから離れて位置されているエンドエッジ（１７，１８，１７’，１８’，３３，３４，３３’，３４’）とを備え、バッグが形成された状態の時、前記サイドパネルは、これらの中心線（３５）と２つの折り線（２６，２７，２８，２９）とに沿って折られ、この２つの折り線は、中央セクション内のそれぞれのサイドパネル近く又は中央セクションの中心近くに位置されている中央セクションのコーナ点から延びており、また、サイドパネルの前記中心線（３５）の両側に位置されているサイドパネルの半体は、これら（半体）の外面（３６，３６’）が互いに面する状態で位置されており、また、前記フロントパネルとリヤパネルとは、中央セクション（３１）の前記中心線（３５）近くで折られて、フロントパネルとリヤパネルとの内面（２４，２４’）が互いに面する状態で位置されており、また、二重に折られた前記サイドパネル（１３，１４）は、前記フロントパネル（１１）とリヤパネル（１２）との間に位置されており、また、サイドパネル（１３，１４）の前記縦方向エッジ（３２，３３，３２’，３３’）は、前記フロントパネル（１１）とリヤパネル（１２）との隣接した縦方向エッジ（１５，１６，１５’，１６’）と接触しており、そして、前記サイドパネルと、前記フロントパネル及びリヤパネルとは、前記縦方向エッジ（１５，１６，１５’，１６’，３２，３３，３２’，３３’）と前記エンドエッジ（１７，１８，１７’，１８’，３３，３４，３３’，３４’）とに沿って互いにシールされているバッグ（４）。
【請求項２】
パネルの前記エンドエッジ（１７，１８，１７’，１８’，３３，３４，３３’，３４’）は、尖った形状で、前記サイドエッジから各パネル（１１，１２，１３，１４）の前記中心線（１９，３５）に延びている２つのエッジセクションを有する請求項１のバッグ（４）。
【請求項３】
このバッグは、金属のホイル層とプラスチック層とのラミネートを有し、このプラスチック層は、バッグの内面（２４，２４’）に位置され、前記縦方向エッジ（１５，１６，１５’，１６’，３２，３３，３２’，３３’）と前記エンドエッジ（１７，１８，１７’，１８’，３３，３４，３３’，３４’）とに沿って、加熱により、パネル（１１，１２，１３，１４）間にシールを与えている請求項１又は２のバッグ（４）。
【請求項４】
孔（３０）が、中央セクション（３１）の所で、又は中央セクションの近くの所で、フィルム材に形成され、チューブ（５）が、バッグ（４）の内側で延び、このチューブ（５）は、バッグの外側に位置されている遮断バルブ（６）に接続され、前記孔（３０）の外周にシールされていることを特徴とする前記全ての請求項のいずれか１のバッグ（４）。
【請求項５】
２つの留めリップ（２２，２３，２２’，２３’）が、１つのパネルの対向する２つの縦方向エッジ（１５，１６，１５’，１６’）に沿って設けられ、これら留めリップ（２２，２３，２２’，２３’）は、縦方向エッジに対し側面に沿って延び、互いの端部に位置され、これら留めリップが分解し得るように互いに取着されていることを特徴とする前記全ての請求項のいずれか１のバッグ（４）。
【請求項６】
前記留めリップ（２２，２３，２２’，２３’）は、フロントパネル（１１）とリヤパネル（１２）との前記縦方向エッジ（１５，１６，１５’，１６’）に形成され、サイドパネルの前記縦方向エッジを超えて突出している請求項５のバッグ（４）。
【請求項７】
前記留めリップ（２２，２３，２２’，２３’）は、前記フロントパネルとリヤパネルとの両方の縦方向エッジ（１５，１６，１５’，１６，）に沿って延び、この縦方向エッジに沿って互いに異なる長さ並びに/もしくは位置を有する請求項５又は６のバッグ（４）。
【請求項８】
前記中央セクション（３１）の両端に位置されている２つのパネルは、夫々の材料片（５６，５７）で形成され、中央セクションの前記サイドエッジ（５８,５９）に取着されている前記全ての請求項のいずれか１のバッグ（４）。
【請求項９】
湾曲した底部（３）並びに/もしくはネック部（２）を有し、前記全ての請求項のいずれか１のバッグを収容している容器（１）の組立て体。
【請求項１０】
（ａ）フィルム材の３つのウェブ（５０，５１，５２）を平行に供給する工程と、
（ｂ）外側の前記２つのウェブの隣接サイド（５８，５９）を、中央の前記ウェブ材（５０）に取着させる工程と
（ｃ）前記工程（ｂ）の前又は後に、サイドパネル（１３，１４）とフロントパネル（１１）とリヤパネル（１２）とを形成するように、移動方向に対して横方向に前記複数のウェブを切断する工程と、
（ｄ）前記パネルの中心線の両端に位置されているサイドパネルの半体が、互いに面しているサイドパネルの外面（３６，３６’）に位置されるように、前記サイドパネル（１３，１４）の中心線（３５）と、前記中央のウェブ近くに位置するサイドパネルのコーナ点から、中央のウェブ（３５）の中心線に延びている２つの折り線（２６，２７，２８，２９）とに沿ってサイドパネル（１３，１４）を折る工程と、
（ｅ）前記フロントパネルとリヤパネルとを前記中央セクションの中心線（３５）近くで互いに向くように折り、二重に折られた前記サイドパネルは、前記フロントパネルとリヤパネルとの間に位置されるように、フロントパネル（１１）とリヤパネル（１２）とをこれらが互いに面する状態に位置させる工程と、
（ｆ）前記フロントパネル（１１）とリヤパネル（１２）との隣接エッジ（１５，１６，１７，１８，１５’，１６’，１７’，１８’）と接触しているサイドパネル（３２，３３，３４，３２’，３３’，３４’）のエッジを取着させる工程とを具備する、フィルム材でバッグを形成するための方法。
【発明の詳細な説明】
【技術分野】
【０００１】
本発明は、フィルム材で形成されたバッグと、このようなバッグの生産方法とに関する。
【背景技術】
【０００２】
ＮＬ１０１５３６８号では、例えばビールのような飲み物を収容するための、ほぼ円筒型の容器を有するホルダーを開示している。この容器は、湾曲した底部とネック部とを備え、容器内に可撓性のフィルム材で形成されたバッグを設けている。前記バッグは遮断バルブを有し、この遮断バルブを介して、炭酸飲料が充填ヘッドを通って、充填ライン（ｆｉｌｌ  ｌｉｎｅ）からバッグ内へと導入される。炭酸飲料は、高圧をバッグの外壁と容器の内壁との間に加えることでバッグから吐出され得る。
【０００３】
前記バッグが、折り畳まれかつ巻かれた状態で、外側の硬質容器内へとネックを介して導入された後、このバッグは充填される。バッグを外側の硬質容器のネックを介して充填する時、バッグは、均一に広がり、容器の内壁に対してぴったりと適合を果たすことが重要である。バッグの不均一な広がりが充填の間に生じると、容器内のバッグの部分が、好ましくない位置で、容器の壁に貼り付いてしまうということが起こり得る。この結果、歪みがバッグ内に生じ、この歪みが高いために、バッグ材のバリア性質は、特にプラスチックとアルミニウムとのラミネートがバッグに使用された場合、バッグ材のパーフォレショーンによって悪影響を受ける。バッグが部分的にのみ充填された場合、圧力がこのような広がりに対して増し得る。バッグを外側の容器内に安定した方法で位置付けるように、バッグは、全ての点でこの容器の内壁と均一に接触することが重要である。このことは、バッグのフィルム材にできる歪みの均一な広がりにとっても重要である。
【０００４】
ＷＯ０１/００５０２で、可撓性のバッグが、充填の間に充填圧力で連続的に分解する、例えば粘着テープ又は融着のような破れやすい手段で、異なるコンパートメントに分けられる方法が説明されている。これによって、バッグの中央部は、最初にバッグの全体の丈を覆うように充填可能であり、中央コンパートメントの縦の充填の後、側壁が容器の内壁とぴったりに係合するように、側部のコンパートメントが解放されて、飲み物にアクセス可能になる。
【発明の開示】
【発明が解決しようとする課題】
【０００５】
本発明の一目的は、湾曲した端部並びに/もしくは底部を有するほぼ円筒型の容器とぴったりと適合可能な、フィルム材で形成されたバッグを提供することである。
【０００６】
本発明のさらなる目的は、フィルム材で形成され、バッグが充填状態にある時、歪みがフィルム材を覆うように均一に広げられるバッグを提供することである。これにより、バッグ材へのダメージが防止可能であり、バッグ材のバリア性質が維持される。このバッグは容易な方法で製造され得る。
【０００７】
また、本発明のさらなる目的は、バッグの充填の間、制御された広がりが可能である破れやすい手段を備えた、フィルム材で形成されたバッグを提供することである。
【課題を解決するための手段】
【０００８】
この目的のために、本発明に係わる、折られていない状態のバッグは、ほぼ矩形からなる中央セクションと、この中央セクションの対向する２つのサイドエッジから延びているフロントパネル及びリヤパネルと、このフロントパネル及びリヤパネルに対して直角に、中央セクションのさらなる２つのサイドエッジから延びている２つのサイドパネルとを有する。各パネルは、２つのサイドエッジと中央セクションから離れて位置されているエンドエッジとを備えている。このバッグが形成された状態の時、前記サイドパネルは、これらの中心線と２つの折り線とに沿って折られる。この２つの折り線は、中央セクション内のそれぞれのサイドパネル近く又は中央セクションの中心近くに位置されている中央セクションのコーナ点から延びている。前記サイドパネルの中心線の両側に位置されているサイドパネルの半体は、これらの外面が互いに面する状態で位置されており、また、前記フロントパネルとリヤパネルとは、中央セクションの中心線近くで折られて、フロントパネルとリヤパネルとの内面が互いに面する状態で位置される。二重に折られた前記サイドパネルは、フロントパネルとリヤパンルとの間に位置されており、サイドパネルの前記縦方向エッジは、フロントパネルとリヤパネルとの隣接した縦方向エッジと接触している。そして、サイドパネルと、フロントパネルと、リヤパネルとは、縦方向エッジとエンドエッジとに沿って互いにシールされている。
【０００９】
本発明に係わるバッグは、折る前、又は折り処理が完了した後、十字形状のパターンに従ったフロントパネルとリヤパネルとサイドパネルとを切断することにより、フィルム材のシートで形成され得る。サイドパネルを二重に折って、互いの端部に位置されたフロントパネルとリヤパネルとの間にこれらサイドパネルを位置させることで、平面構造が達せられる。この平面構造は、折られていない状態の際には、前記エンドエッジで３次元のバッグを形成する。前記縦方向エッジと折り線とは、それぞれ、外側の容器の湾曲した底部、側壁、及び湾曲したネック部とぴったりと接触する。
【００１０】
さらに、本発明に係わるバッグは、容易な方法で製造可能であり、硬質容器内に飲み物を充填する際、バッグは均一な方法で歪を広げる（ｄｉｓｔｒｉｂｕｔｅｓ）。
【００１１】
好ましくは、平らに形成された状態のバッグのエンドエッジは尖っていて、バッグが折られていない時、これらエッジは、湾曲した面に沿って延び得る。
【００１２】
一実施の形態で、このバッグは、金属からなるフォイル層とプラスチック層とのラミネートを有し、このプラスチック層は、バッグの内面に位置され、プラスチックは、縦方向エッジとエンドエッジとに沿って加熱されることにより、パネル間にシールを与える。互いの端部に位置された縦方向エッジとエンドエッジとは圧力及び熱を与えることで、互いにシールされ得る。好ましくは、孔が、中央セクションの所で又は中央セクションの近くの所で、フォイル材に形成される。チューブがバッグの内側で延び、このチューブは、バッグの外側に位置された遮断バルブに接続され、シールを与えるように前記孔の外周に取着される。あらゆる飲み物が、飲み物で充填されたバッグを圧縮されることで、上昇管を介してバッグから吐出され得る。
【００１３】
効果的な実施の形態で、バッグは、パネルの対向する縦方向エッジに２つの留めリップを有する。これら留めリップは、縦方向エッジに対して側面に沿って延び、互いの端部に位置され、これら留めリップが分解し得るように互いに取着されている。バッグが平らに形成された状態の時、前記フロントパネルとリヤパネルとは、一時的に、留めリップで互いに取着され得る。この結果、円筒型の容器内に位置されたバッグが飲み物で充填された時、フロントパネルとサイドパネルとは、互いから分解し、所定の充填圧力が達せられた時、バッグは均一に広がり、飲み物で完全に充填され得る。
【００１４】
前記留めリップは、フロントパネルとリヤパネルとの縦方向エッジに形成され、これらエッジを越えるように側面に沿って延びている。この結果、プラスチックからなるこれらパネルの内面で、互いの端部に位置された留めリップは、熱融着により互いに取着され得る。この融着点は、分解するように離間され得る。好ましくは、フロントパネルとリヤパネルとの一辺の側面に設けられた留めリップは、もう一辺の側面に設けられた留めリップよりも長い。このような非対称の配置の結果、バッグの最適な充填とバッグの容積（ｖｏｌｕｍｅ）の制御された解放が達せられ得る。これにより、容器の内壁とぴったりとした接触が起こり、バッグは少なくともほぼ完全に充填される。
【００１５】
さらに効果的な実施の形態で、バッグは、材料を減じて形成されており、サイドパネルは、フロントパネルとリヤパネルとにそれぞれ融着される。このサイドパネルとフロントパネル及びリヤパネルとは、３つのそれぞれのウェブとして平行に供給される。サイドパネルのためのウェブは、比較的広く、比較的短く切断される。一方、フロントパネル及びリヤパネルのための中央ウェブは、比較的長く切断され、比較的狭い。
【００１６】
本発明に係わるバッグの複数の実施の形態、及び、このような実施の形態での製造のための方法は、添付図面を参照し、より詳細に説明されるであろう。
【発明を実施するための最良の形態】
【００１７】
図１は、ＮＬ１０１５３６８号に詳細に説明されたような、炭酸飲料、特にビールのためのホルダーを示している。このホルダーは、例えばポム（ＰＯＭ）又はペット（ＰＥＴ）のようなプラスチックから形成されている外側の硬質容器１を有している。この容器１は、湾曲したショルダ部２と湾曲した底部３とを有している。フィルム材から形成されたバッグ４が、容器１の内壁に対してぴったりと適合するように、容器１内に位置されている。このバッグ４は、プラスチックからなる上昇管５を備えている。また上端部で、このバッグ４は、バッグに融着されているフランジ７によりプラスチックからなる遮断バルブ６に結合されている。この遮断バルブ６は、この図には詳細に示されていない充填装置（ｆｉｌｌｉｎｇ  ｄｅｖｉｃｅ）１２’の充填ヘッド１０を介してバッグを充填するための排出口９を備えたバルブ８を有している。このバッグ４が充填される時、バッグと容器１とは逆さに位置される。そして、充填された後、飲み物は、充填ヘッド１０の取り外し後、ドリンクディスペンサがバッグからの飲み物の吐出を制御及び測定するためのバルブ８を駆動するように、容器をドリンクディスペンサ内に位置させることによってバッグ４から吐出される。飲み物を吐出させるために、空気が遮断バルブ６を介してバッグ４と容器１との間のスペースへと供給され、この結果、バッグは、これの内容物が吐出されている時、容器１内の空気圧による圧力で空にされる。バッグに結合された遮断バルブ６を備えたバッグ４は、一度限りの使用に適しており、バッグが空にされた後は、ネック部１１’を介して容器１から取り外される。そして、新しく折り畳まれかつ巻かれたバッグ４が、ネック１１’を介してボトル（原文のまま）内へと導入される。この折り畳まれたバッグは、充填ヘッド１０を介して充填されることにより制御された方法で広げられ、この結果、バッグが完全に充填され、容器１の内壁と均一かつ完全に接触し、湾曲したショルダ２と湾曲した底部３との外形に従い得る。本発明に従えば、バッグ４の形状は、湾曲したショルダ部２及び底部３を備えた樽状又はシリンダ状の容器１の形状と最適な一致を果たすように仕立てられている。
【００１８】
図２は、プラスチックからなる遮断バルブ６を備えたバッグ４を正面から見た平面図を示している。このバッグ４は、アルミニウム層とプラスチック層とのラミネートで形成されている。図３に見られ得るように、折り畳まれて形成された状態では、バッグは、サイドパネル１３及び１４がフロントパネル１１とリヤパネル１２との間に二重に折り畳まれた状態で、フロントパネル１１とリヤパネル１２とにより形成されている。このフロントパネル１１は、２つの縦方向エッジ１５及び１６と２つのエンドエッジセクション１７及び１８を有している。これらエンドエッジセクション１７及び１８は、縦方向エッジ１５及び１６からバッグの中心線１９に向かう一点に延びている。さらに、破れやすい方法で、フロントパネル１１とリヤパネル１２とを互いに取着させている留めリップ（ｆａｓｔｅｎｉｎ  ｌｉｐｓ）２２及び２３が、縦方向エッジ１５及び１６に沿ってバッグに設けられている。バッグ４が充填されると、留めリップ２２及び２３は分解し、この結果、バッグの徐々に制御された充填が、部分的な充填のみ又は全く充填されていない状態にある折れ部及びスペースが形成されることなく達せられ、この結果、容器１の壁の不均一的な接触が生じるのを妨げる。充填の間のこのような不均一的な接触は、材料に高い歪みをもたらし、過度の伸びの結果、バッグフィルム材のアルミニウムに小さな裂け目を生じさせ得て、ガスバリアを減じるか、バッグの、特にフランジ７の取り付け部の一点にさえ裂け目を生じさせ得る。このようなことは、留めリップ２２及び２３によって防止される。さらに、留めリップ２２及び２３の剛性のシームの結果、エッジが容器壁の内部から少し離れて位置されるように形成されるので、空気チャネルが形成され、この空気チャネルを介して、空気が充填の間に、容器１から逃れ得る。
【００１９】
図３に見られ得るように、前記留めリップは、フロントパネル１１とリヤパネル１２とが縦方向エッジに沿ってサイドパネル１４を超えて突出し得ることにより形成可能である。フロントパネル及びリヤパネルの内面２４,２４’が、互いに接触する。これら内面は、プラスチック材で形成されている。留めリップ２２のフロント及びリヤ部のプラスチック材は、スポット融着２１によって破れやすい方法で取着され得る。代って、フロントパネル１１及びリヤパネル１２とサイドパネル１３,１４との両方は、例えば２３に示されたように、留めリップを形成して縦方向エッジ１５及び１６を超えて突出させてもよい。この場合、サイドパネル１３の外側２６が、スポット融着２５又は接着剤を塗布したりパーフォレショーンを形成したりするような他の技術を使用して留めリップ部の所でフロントパネルとリヤパネルとの両方に融着される。
【００２０】
図４は、前記遮断バルブ６と上昇管５とがバッグから取り外されている、図２及び図３に係わるバッグ４の斜視図である。このバッグ４は、上部に孔３０を備え、この孔３０に遮断バルブ６がシールされることは明らかである。折り線２７及び２８が、縦方向エッジ１５及び１６に沿って孔３０から融着部へと延びている。
【００２１】
図５は、平らで折られていない状態のバッグ４を示している。図５で、プラスチックからなるバッグの内側が、見るところになっている。図４に係わるバッグは、十字形状のパターンに従ったシート材４３からフロントパネルとリヤパネルとサイドパネルとを切り離した後、図６及び図７に係わるこれらパネルを折り畳み、結合することで形成され得る。しかし、縦方向エッジ１５及び１６とエンドエッジ１７及び１８とを融着する時、最初に矩形のシート材４３からバッグを折り畳み、そして、余剰材料を切り取ることも可能である。
【００２２】
前記フロントパネル１１及びリヤパネル１２と、サイドパネル１３，１４とは、中央部３１から十字形状に延びている。バッグ４を形成する時、サイドパネル１３，１４は、これらの中心線３５に沿って二重に折られ、縦方向エッジ３２，３３と３２’，３３’が互いに向くように移動される。この結果、これらサイドパネルの半体の外面は、互いに面して位置される。また、サイドパネル１３，１４は、図６に図式的に示されているように折り線２６ないし２９に沿って折られる。そして、二重に折られたサイドパネル１３，１４は、図７に図式的に示されているように、フロントパネル１１とリヤパネル１２との間に位置される。この結果、縦方向エッジ１５，３３；１５’，３２；１６，３３’；１６’，３２’が一致する。
【００２３】
図７で、二重に折られたサイドパネル１３，１４が、リヤパネル１２にどのように重ねられているかを明確に理解することが可能である。明瞭のために、フロントパネル１１は、図７では部分的に切り取られている。二重に折られているサイドパネル１３，１４の外面３６，３６’は、互いに面して、一方プラスチック層が位置されている内面３７，３７’は、フロントパネル１１とリヤパネル１２とに面している。図７に示されている様態から、バッグは、縦方向エッジ１５，１５’；１６，１６’；３２，３２’；３３，３３’とエンドエッジ１７，１７’，１８，１８’，３４，３４’とに沿って圧力と熱とを与えて、融着部を形成することにより形成される。このことは、図８に示されており、融着部材４０及び４０’が、サイドパネル１３及び１４をこれらの中心線に沿って矢印方向に移動させることにより折る。そして、縦方向エッジ１５ないし３３’の間と、エッジエンドセクション１７，１７’，１８，１８’，３４，３４’の間とのシールが、融着部材４１及び４１’と融着部材４０及び４０’との間の縦方向エッジ１５，３３；１５’，３２；１６，３３’；１６’，３２’をクランプすることにより得られる。
【００２４】
図９は、バッグの形状を有する金属片を備え得る融着部材４１の平面図を示している。下部の留めリップの位置で、融着部材４１は、留めリップ部２２，２２’と２３，２３’との間に破れやすい取着を形成するためのスポット融着部材４４，４５を備えている。
【００２５】
図１０は、バッグが、折られる前又は後に、材料セクション４６，４７，４８，４９を打ち抜くことで、アルミニウムホイルとプラスチックとのラミネートからなる矩形のシート４３により形成されている一実施の形態を示している。サイドパネルのサイドエッジセクションは、矩形のシート４３のコーナ点により形成されている。
【００２６】
図１０に従った製造方法と比較して２５％の材料の節約が達せられ得る、異なる製造方法が、図１１と図１２とに示されている。ここでは、１つのフロント/リヤパネル５０と２つのサイドパネル５１，５２とが、個々の３つのストックロール５３，５４及び５５から供給される。ウェブ材５０は比較的狭く、一方、ウェブ材５１，５２は比較的広いが、中央にあるウェブ５０よりも短く切断されている。図１２に示されているように、ウェブ材５０，５１，５２は、ストックロール５３ないし５５から供給される。そして切断ステーションＢで、フロントパネル/リヤパネルとサイドパネルとが、正確な形状に切断され、サイドパネル５６，５７は、フロントパネル/リヤパネルの縦方向エッジとサイドパネルのサイドエッジ５８，５９が接するように、位置され、そして融着ステーションＣでこれらエッジが融着される。切断ステーションＢの下流又は融着ステーションＣの下流には、プラスチックチューブが接続されている遮断バルブ６が、孔６１内に挿入され、バッグ材に固定される。そして、フロントパネル/リヤパネルとサイドパネルとは、図５ないし７に示されている方法に従って折り畳みステーションＤで折られる。これらの後に、融着ステーションＥで、縦方向エッジ１５，３３，１５’，３２，１６，３３’，１６’，３２’とエンドエッジセクション１７，１７’，１８，１８’，３４及び３４’が、互いに、融着部材６０を使用して取着される。また、切断ステーションＢを省いて、融着ステーションＥで切断工程を実行すること、又は、単一のウェブのようにサイドパネル５１，５２を供給して、フロントパネル及びリヤパネル５０を離れた部のようにサイドパネル５１，５２に取着させることは可能である。
【図面の簡単な説明】
【００２７】
【図１】図１は、本発明に係わるバッグを備え、湾曲した底部とネック部とを有し、プラスチックからなるホルダーの図式的な断面図を示している。
【図２】図２は、本発明に係わるバッグの正面図を示している。
【図３】図３は、図２に係わるバッグの図式的な平面図を示している。
【図４】図４は、図２に係わるバッグの斜視図を示している。
【図５】図５は、折られていない状態の、本発明に係わるバッグの平面図を示している。
【図６】図６は、部分的に折られている様態で、図５に係わるバッグの図式的な平面図を示している。
【図７】図７は、折られている様態で、図５に係わるバッグの、部分的に切り取られている正面図を示している。
【図８】図８は、縦方向エッジとエンドエッジとのシールの間、図５に係わるバッグの図式的な切断面を示している。
【図９】図９は、シールのための加熱部材の平面図を示している。
【図１０】図１０は、バッグが、矩形のフィルム材で形成されている状態の、図式的な平面図を示している。
【図１１】図１１は、バッグを３つのウェブ材で形成するための方法を示している。
【図１２】図１２は、図式的に、図１１に係わるバッグのための製造処理の工程を示している。
【図１】
2005517602.tif 000003
【図２】
2005517602.tif 000004
【図３】
2005517602.tif 000005
【図４】
2005517602.tif 000006
【図５】
2005517602.tif 000007
【図６】
2005517602.tif 000008
【図７】
2005517602.tif 000009
【図８】
2005517602.tif 000010
【図９】
2005517602.tif 000011
【図１０】
2005517602.tif 000012
【図１１】
2005517602.tif 000013
【図１２】
2005517602.tif 000014
【手続補正書】
【提出日】平成16年2月19日(2004.2.19)
【手続補正１】
【補正対象書類名】特許請求の範囲
【補正対象項目名】全文
【補正方法】変更
【補正の内容】
【特許請求の範囲】
【請求項１】
フィルム材で形成されたバッグ（４）であって、このバッグは、折られていない状態で、ほぼ矩形の中央セクション（３１）と、この中央セクション（３１）の対向する２つのサイドエッジから延びているフロントパネル（１１）及びリヤパネル（１２）と、このフロントパネル及びリヤパネルに対して直角に、前記中央セクション（３１）のさらなる２つのサイドエッジから延びている２つのサイドパネル（１３，１４）とを具備し、各パネル（１１，１２，１３，１４）は、２つのサイドエッジ（１５，１６，１５’，１６’，３２，３３，３２’，３３’）と、前記中央セクションから離れて位置されているエンドエッジ（１７，１８，１７’，１８’，３３，３４，３３’，３４’）とを備え、バッグが形成された状態の時、前記サイドパネルは、これらの中心線（３５）と２つの折り線（２６，２７，２８，２９）とに沿って折られ、この２つの折り線は、中央セクション内のそれぞれのサイドパネル近く又は中央セクションの中心近くに位置されている中央セクションのコーナ点から延びており、また、サイドパネルの前記中心線（３５）の両側に位置されているサイドパネルの半体は、これら（半体）の外面（３６，３６’）が互いに面する状態で位置されており、また、前記フロントパネルとリヤパネルとは、中央セクション（３１）の前記中心線（３５）近くで折られて、フロントパネルとリヤパネルとの内面（２４，２４’）が互いに面する状態で位置されており、また、二重に折られた前記サイドパネル（１３，１４）は、前記フロントパネル（１１）とリヤパネル（１２）との間に位置されており、また、サイドパネル（１３，１４）の前記縦方向エッジ（３２，３３，３２’，３３’）は、前記フロントパネル（１１）とリヤパネル（１２）との隣接した縦方向エッジ（１５，１６，１５’，１６’）と接触しており、そして、前記サイドパネルと、前記フロントパネル及びリヤパネルとは、前記縦方向エッジ（１５，１６，１５’，１６’，３２，３３，３２’，３３’）に沿って互いにシールされているバッグにおいて、前記２つのサイドパネル（１３，１４）と前記フロントパネル（１１）及びリヤパネル（１２）とは、前記エンドエッジ（１７，１８，１７’，１８’，３３，３４，３３’，３４’）に沿って互いにシールされており、また、前記中央セクションは、この中央セクション（３１）の中心又はこの近くに、バッグ（４）の内側で延びているチューブ（５）を受けるために、フィルム材に形成された孔（３０）を有しており、また、前記チューブは、バッグの外側に位置されている遮断バルブ（６）に接続され、この遮断バルブは、前記孔（３０）の外周にシールするように設けられており、このバルブの外周は、前記パネルのシールラインに接触していないことを特徴とするバッグ。
【請求項２】
パネルの前記エンドエッジ（１７，１８，１７’，１８’，３３，３４，３３’，３４’）は、尖った形状で、前記サイドエッジから各パネル（１１，１２，１３，１４）の前記中心線（１９，３５）に延びている２つのエッジセクションを有する請求項１のバッグ（４）。
【請求項３】
このバッグは、金属のホイル層とプラスチック層とのラミネートを有し、このプラスチック層は、バッグの内面（２４，２４’）に位置され、前記縦方向エッジ（１５，１６，１５’，１６’，３２，３３，３２’，３３’）と前記エンドエッジ（１７，１８，１７’，１８’，３３，３４，３３’，３４’）とに沿って、加熱により、パネル（１１，１２，１３，１４）間にシールを与えている請求項１又は２のバッグ（４）。
【請求項４】
２つの留めリップ（２２，２３，２２’，２３’）が、１つのパネルの対向する２つの縦方向エッジ（１５，１６，１５’，１６’）に沿って設けられ、これら留めリップ（２２，２３，２２’，２３’）は、縦方向エッジに対し側面に沿って延び、互いの端部に位置され、これら留めリップが分解し得るように互いに取着されていることを特徴とする前記全ての請求項のいずれか１のバッグ（４）。
【請求項５】
前記留めリップ（２２，２３，２２’，２３’）は、フロントパネル（１１）とリヤパネル（１２）との前記縦方向エッジ（１５，１６，１５’，１６’）に形成され、サイドパネルの前記縦方向エッジを超えて突出している請求項４のバッグ（４）。
【請求項６】
前記留めリップ（２２，２３，２２’，２３’）は、前記フロントパネルとリヤパネルとの両方の縦方向エッジ（１５，１６，１５’，１６，）に沿って延び、この縦方向エッジに沿って互いに異なる長さ並びに/もしくは位置を有する請求項４又は５のバッグ（４）。
【請求項７】
前記中央セクション（３１）の両端に位置されている２つのパネルは、夫々の材料片（５６，５７）で形成され、中央セクションの前記サイドエッジ（５８,５９）に取着されている前記全ての請求項のいずれか１のバッグ（４）。
【請求項８】
前記全ての請求項のいずれか１のバッグと、チューブと、遮断バルブとの組立て体。
【請求項９】
湾曲した底部（３）並びに/もしくはネック部（２）を有し、前記全ての請求項のいずれか１のバッグを収容している容器（１）の組立て体。
【請求項１０】
（ａ）フィルム材の３つのウェブ（５０，５１，５２）を平行に供給する工程と、
（ｂ）外側の前記２つのウェブの隣接サイド（５８，５９）を、中央の前記ウェブ材（５０）に取着させる工程と
（ｃ）前記工程（ｂ）の前又は後に、サイドパネル（１３，１４）とフロントパネル（１１）とリヤパネル（１２）とを形成するように、移動方向に対して横方向に前記複数のウェブを切断する工程と、
（ｄ）前記パネルの中心線の両端に位置されているサイドパネルの半体が、互いに面しているサイドパネルの外面（３６，３６’）に位置されるように、前記サイドパネル（１３，１４）の中心線（３５）と、前記中央のウェブ近くに位置するサイドパネルのコーナ点から、中央のウェブ（３５）の中心線に延びている２つの折り線（２６，２７，２８，２９）とに沿ってサイドパネル（１３，１４）を折る工程と、
（ｅ）前記フロントパネルとリヤパネルとを前記中央セクションの中心線（３５）近くで互いに向くように折り、二重に折られた前記サイドパネルは、前記フロントパネルとリヤパネルとの間に位置されるように、フロントパネル（１１）とリヤパネル（１２）とをこれらが互いに面する状態に位置させる工程と、
（ｆ）前記フロントパネル（１１）とリヤパネル（１２）との隣接エッジ（１５，１６，１７，１８，１５’，１６’，１７’，１８’）と接触しているサイドパネル（３２，３３，３４，３２’，３３’，３４’）のエッジを取着させる工程とを具備する、フィルム材でバッグを形成するための方法。
【国際調査報告】
2005517602.tif 000015
2005517602.tif 000016
2005517602.tif 000017